(57)【要約】【課題】様々な筐体デザインに対応可能なストラップ紐の取付構造及びその取付方法並びにこれを用いた端末装置を提供する。【解決手段】ストラップ紐Ｓを通すための二つの開口１１，１２を設けた筐体と、筐体に内嵌されて二つの開口１１，１２に面する回転体５とを備えたストラップ紐Ｓの取付構造であって、回転体５には、一方の開口１１に通されたストラップ紐Ｓを引っ掛けて回転体５の回転により他方の開口１２へ案内するガイド部２１を備える。【選択図】図２５
2005347884.tif 000002
【特許請求の範囲】
【請求項１】
ストラップ紐を通すための二つの開口を設けた筐体と、該筐体に内嵌されて前記二つの開口に面する回転体とを備えたストラップ紐の取付構造であって、前記回転体には、一方の開口に通されたストラップ紐を引っ掛けて回転体の回転により他方の開口へ案内するガイド部を備えたことを特徴とするストラップ紐の取付構造。
【請求項２】
前記回転体の回転を一方へ規制するストッパ手段を備えたことを特徴とする請求項１記載のストラップ紐の取付構造。
【請求項３】
前記筐体を折り畳み可能に連結するヒンジ部を有し、該ヒンジ部は前記筺体に一体的に設けられたヒンジ収納部と、該ヒンジ収納部内に配置されたヒンジユニットとを有し、前記ヒンジ収納部にストラップ紐を通すための二つの開口を有すると共に、前記筺体に内嵌される回転体が前記ヒンジ収納部の開口を塞いで前記ヒンジユニットを隠すヒンジキャップであることを特徴とするストラップ紐の取付構造。
【請求項４】
請求項１〜３いずれか一つに記載のストラップ紐の取付構造を備えたことを特徴とする端末装置。
【請求項５】
ストラップ紐を筐体の一方の開口に通して筐体内の回転体に引っ掛け、前記回転体の回転により筐体の他方の開口へ案内して外方へ出し、前記一方の開口及び他方の開口を介して前記ストラップ紐を前記筐体に取り付けることを特徴とするストラップ紐の取付方法。
【発明の詳細な説明】
【技術分野】
【０００１】
本発明は、ストラップ紐の取付構造、及びこれを用いた携帯電話機、ＰＨＳ等の移動体通信機、ＰＤＡ（Personal Digital Assistant）、デジタルカメラ、携帯ラジオ、ＭＤプレーヤ、ＣＤプレーヤ、カセットテープレコーダといった端末装置に関するものであり、特にヒンジ連結部を備えた折り畳み構造を有する端末装置に好適である。
【背景技術】
【０００２】
一般に、携帯電話機、ＰＨＳ等の移動体通信機、ＰＤＡ、デジタルカメラ、携帯ラジオ、ＭＤプレーヤ、ＣＤプレーヤ、カセットテープレコーダといった端末装置は、ストラップ紐を取り付け得るよう端末装置を構成する筐体に取付孔を備えている。特に移動体通信機やＰＤＡの端末装置は、筐体の一面から外方へ突出するよう、取付孔を備えた突出部を設けており、突出部は、アンテナを取り付けるアンテナ取付部の突状部分と対応してガタつきを防止するようにしている。
【０００３】
例えば、携帯電話機に設けられた一般的なストラップ紐の取付構造としては特許文献１がある。
【特許文献１】特開２００３−１８９４８２号公報
【発明の開示】
【発明が解決しようとする課題】
【０００４】
しかしながら、端末装置に取付孔の突出部を設けると、近年要求されているような個性のあるデザインに対して制約を受けるといった問題があった。また、端末装置をポケット等に収納した状態からストラップ紐を引っ張って取り出す際には、取付孔の突出部が引っ掛かり、ポケットよりスムーズに取り出すことができないという問題があった。更に、取付孔の配置場所によってはストラップ紐を取付孔に容易に通すことができないという問題があった。
【０００５】
本発明は、斯かる実情に鑑み、様々な筐体デザインに対応可能なストラップ紐の取付構造及びその取付方法並びにこれを用いた端末装置を提供しようとするものである。
【課題を解決するための手段】
【０００６】
本発明は、ストラップ紐を通すための二つの開口を設けた筐体と、該筐体に内嵌されて前記二つの開口に面する回転体とを備えたストラップ紐の取付構造であって、前記回転体には、一方の開口に通されたストラップ紐を引っ掛けて回転体の回転により他方の開口へ案内するガイド部を備えたことを特徴とするストラップ紐の取付構造にかかるものである。
【０００７】
前記ストラップ紐の取付構造においては、前記回転体の回転を一方へ規制するストッパ部を備えることが好ましい。
【０００８】
本発明は、前記筐体を折り畳み可能に連結するヒンジ部を有し、該ヒンジ部は前記筺体に一体的に設けられたヒンジ収納部と、該ヒンジ収納部内に配置されたヒンジユニットとを有し、前記ヒンジ収納部にストラップ紐を通すための二つの開口を有すると共に、前記筺体に内嵌される回転体が前記ヒンジ収納部の開口を塞いで前記ヒンジユニットを隠すヒンジキャップであることを特徴とするストラップ紐の取付構造にかかるものである。
【０００９】
また、本発明は、前述のいずれか一つに記載のストラップ紐の取付構造を備えたことを特徴とする端末装置にかかるものである。
【００１０】
更に、本発明は、ストラップ紐を筐体の一方の開口に通して筐体内の回転体に引っ掛け、前記回転体の回転により筐体の他方の開口へ案内して外方へ出し、前記一方の開口及び他方の開口を介して前記ストラップ紐を前記筐体に取り付けることを特徴とするストラップ紐の取付方法にかかるものである。
【発明の効果】
【００１１】
本発明によれば、様々な筐体デザインに対応可能なストラップ紐の取付構造及びその取付方法並びにこれを用いた端末装置を提供することができる。
【発明を実施するための最良の形態】
【００１２】
以下、本発明の実施の形態例を添付図面を参照して説明する。
【００１３】
図１〜図２５は本発明を実施する形態の一例におけるストラップ紐の取付構造及びその取付方法並びにこれを用いた端末装置を示すものである。
【００１４】
本発明の端末装置は、携帯電話機、ＰＨＳ等の移動体通信機、デジタルカメラ、ＰＤＡ、携帯ラジオ、ＭＤプレーヤ、ＣＤプレーヤ、カセットテープレコーダ等からなるものであり、図１、図２に示す如く、１は端末装置の携帯電話の筐体であり、折畳式の携帯電話機は、筐体１を、操作キーが配列される第一のケースとしてのキー側の筐体２と、液晶画面が設けられる第二のケースとしての表示側の筐体３とに分割し、それらを互いにヒンジ部としてのヒンジユニット４を介して回動自在に組み付け、折り畳み可能としてなる構成を有している。また、ヒンジユニット４の外側には、ヒンジユニット４を隠すよう回転体のヒンジキャップ５を内嵌している。
【００１５】
次に本発明に係るストラップ紐の取付構造及びストラップ紐の取付方法について詳述する。
【００１６】
ストラップ紐Ｓの取付構造は、キー側の筐体２と、キー側の筐体２に内嵌されてる回転体としてのヒンジキャップ５とで構成されている。
【００１７】
キー側の筐体２は、図３〜図８、図１９、図２１に示す如く、両肩位置に、ヒンジユニット４を収納するヒンジ部としての筒状のヒンジ収納部６を有しており、ヒンジ収納部６の内周面には、ヒンジユニット４を固定する固定溝７を形成し、ヒンジ収納部６の外周面と内周面の間には、周方向に沿うよう所定長さで延在するヒンジキャップ５用の回転溝８を備えると共に、回転溝８と同周上に位置して周回するヒンジキャップ５用の脱落防止溝９を形成している。また、ヒンジ収納部６の外周面には、ストラップ引掛部１０を形成するよう、周方向に沿って位置し且つ外方から回転溝８へ向かって貫通する第一の開口（一方の開口）１１及び第二の開口（他方の開口）１２を備えている。ここで、脱落防止溝９の所定位置（図１９では下方位置）には、内周面に沿って位置し且つ内周面から中心方向に突出するストッパ手段としての第一ストッパ部１３及び第二ストッパ部１４を備えている。
【００１８】
ヒンジキャップ５は、図９〜図１６、図１９、図２１に示す如く、ヒンジ収納部６の開口を塞ぎ、ヒンジユニット４を隠すよう円盤状のキャップ１５を備えており、キャップ１５の外面には回転用の凹部１６を形成し、キャップ１５の上端には、キャップ１５の中心軸線方向に沿って延在し且つヒンジ収納部６の回転溝８内に配置されるカバー部１７を備え、キャップ１５の両端及び下端には、外径方向に突出し且つ脱落防止溝９内に摺動可能に配置される脱落防止用突起１８，１９を備えている。なお、キャップ１５に裏面側には、図１６に示す如くヒンジユニット４の側端面が位置しており、ヒンジユニット４は、キー側の筐体２に固定する第一部４ａと、表示側の筐体３に固定する第二部４ｂとを備えて回転可能に構成されている。
【００１９】
ここで、ヒンジキャップ５のカバー部１７には、図１０、図１４、図１５に示す如く、キャップ１５の中心軸線方向（カバー部１７の延在方向）に沿うよう溝ライン２０を形成し、溝ライン２０の一部には、ヒンジキャップ５の回転方向に向かって突出するガイド部２１を備え、溝ライン２０とガイド部２１の間には、差込口を大きく形成すると共に上方から周方向へ向かうよう、溝ライン２０の側面から底面まで滑らかな斜め形状にしたガイド溝２２を備えている。
【００２０】
一方、ヒンジキャップ５の下端に位置する脱落防止用突起１９は、図２０、図２１に示す如く、ヒンジキャップ５の回転方向に向かって突出するストッパ手段の撓み部２３を備えるよう、周方向に延在する切欠き２４を備えている。
【００２１】
以下、本発明の実施の形態の一例の作用を説明する。
【００２２】
ストラップ紐Ｓを折畳式の携帯電話機に取り付ける際には、ヒンジキャップ５のカバー部１７を回転溝８に挿入し、予め、ガイド部２１を第一の開口１１の下方に配置しておき、ストラップ紐Ｓの先端環状部Ｓａを、図１７に示す如く第一の開口１１を介しガイド溝２２に挿入してガイド部２１に係止させる。次に、ヒンジキャップ５を回転させることによりガイド部２１を第二の開口１２の下方に配置し、図１８に示す如くストラップ紐Ｓの先端環状部Ｓａを第二の開口１２にガイドしてガイド溝２２から第二の開口１２を介しキー側の筐体２の外部まで押し出す。続いてストラップ紐Ｓを第一の開口１１及び第二の開口１２に通した状態で、ストラップ紐Ｓの先端環状部Ｓａに反対側のストラップ紐Ｓの帯部Ｓｂを通すことにより、ストラップ紐Ｓをストラップ引掛部１０に引っ掛けて折畳式の携帯電話機に取り付ける。ここで、折畳式の携帯電話機におけるキー側の筐体２の肩部分にストラップ紐Ｓを取り付けた際には、表示側の筐体３と干渉することがなく、キー側の筐体２と表示側の筐体３を開いた場合には、図２３、図２４に示す如く、ストラップ紐Ｓの取付部分が隙間Ｌの部分に位置し、キー側の筐体２と表示側の筐体３を閉じた場合には、図２５に示す如く、ストラップ紐Ｓの取付部分が外部に位置する。また、ストラップ紐Ｓの先端環状部Ｓａを第二の開口１２から外部に出す際には、第二の開口１２等の形状やストラップ紐Ｓの先端環状部Ｓａの材質により、第二の開口１２の下部から引き出し易くしてもよい。
【００２３】
同時に、ヒンジキャップ５を回転させる際には、図１９〜図２２に示す如く、ヒンジキャップ５の脱落防止用突起１８がキー側の筐体２の脱落防止溝９を摺動し、ヒンジキャップ５の下端に位置する脱落防止用突起１９は、撓み部２３が切欠き２４側へ撓みながら第一ストッパ部１３及び第二ストッパ部１４を乗り越えて通過する。ここで、図１９、図２１に示す如く、下端の脱落防止用突起１９が第一ストッパ部１３に当接する場合には、ヒンジキャップ５のガイド部２１を第一の開口１１の下方に位置決めしており、第一ストッパ部１３を乗り越えた際にはヒンジキャップ５を回転可能にしている。また、図２１、図２２に示す如く、下端の脱落防止用突起１９が第二ストッパ部１４を乗り越えた際には、ヒンジキャップ５のガイド部２１を第二の開口１２の下方に位置決めしており、更に、下端の脱落防止用突起１９が第一ストッパ部１３もしくは第二ストッパ部１４を乗り越えた際には、下端の脱落防止用突起１９の切欠き２４の方向によって逆方向へ乗り越えを防止し、ヒンジキャップ５の回転を一方へ規制している。
【００２４】
このように、本発明の形態の一例によれば、ストラップ紐Ｓの取付構造により、キー側の筐体２の肩部分にストラップ紐Ｓを取り付けるので、端末装置の表裏面もしくは側面に取付孔の突出部を設けることを不要にして筐体１を簡単な形状にし、ガタつきを防止すると共に、様々な筐体デザインに対応し得るようにデザイン性を向上させることができる。また、端末装置の筐体１を簡単な形状にし得るので、端末装置をポケット等に収納した状態からストラップ紐Ｓを引っ張って取り出す場合であっても、ポケット等からスムーズに取り出すことができる。更に、ヒンジキャップ５（回転体）の回転によりストラップ紐Ｓをキー側の筐体２に通し得るので、ストラップ紐Ｓの取り付けが、取付場所によって影響を受けることがなく、容易に取り付けることができる。また、ガイド部２１のガイド溝２２は、差込口を大きく形成すると共に上方から周方向へ向かうよう、溝ライン２０の側面から底面まで滑らかな斜め形状を備えるので、ストラップ紐Ｓの先端環状部Ｓａを容易に差し込んで係止することができる。
【００２５】
ストラップ紐Ｓの取付構造には、ヒンジキャップ５の回転を一方へ規制する第一ストッパ部１３及び第二ストッパ部１４を備えるので、ヒンジキャップ５の位置決めを為し得ると共にガイド部２１を第一の開口１１及び第二の開口１２へ好適に移動させることができる。
【００２６】
ストラップ紐Ｓの取付構造には、筐体１を折り畳み可能するよう筐体１のヒンジ収納部６にヒンジユニット４を備え、ヒンジ収納部６には二つの開口１１，１２を備えるので、ストラップ紐Ｓを、キー側の筐体２の肩部分であるヒンジ収納部６に取り付け、デザイン性を一層向上させることができる。また、キー側の筐体２の両肩に位置する左右のヒンジ収納部６を備えるので、ストラップ紐Ｓを左右自由に取り付けることができる。更に、ストラップ紐Ｓをヒンジ収納部６のストラップ引掛部１０に取り付けると共に、表示側の筐体３に干渉することなく配置し得るので、ストラップ紐Ｓを安定して吊り下げることができる。
【００２７】
ストラップ紐Ｓの取付構造において、ストラップ紐Ｓをガイドするヒンジキャップ５はヒンジユニット４を隠し得るので、一層デザイン性を高めることができる。また、端末装置に引出し可能なアンテナを内蔵する場合であっても、ガタつき防止を容易に為しえることができる。
【００２８】
なお、本発明のストラップ紐の取付構造及びその取付方法並びにこれを用いた端末装置は、上述の図示例にのみ限定されるものではなく、ストラップ紐を取り付ける筐体は折畳式のものに限定されるものではないこと、その他、本発明の要旨を逸脱しない範囲内において種々変更を加え得ることは勿論である。
【図面の簡単な説明】
【００２９】
【図１】本発明を実施する形態の一例においてストラップ紐を取り付ける端末装置の一部を示す斜視図である。
【図２】本発明を実施する形態の一例においてストラップ紐を取り付ける端末装置の一部を示す正面図である。
【図３】キー側の筐体にヒンジキャップを取り付けた状態を示す正面図である。
【図４】キー側の筐体にヒンジキャップを取り付けた状態を示す斜視図である。
【図５】図４のＶの部分を拡大して示す斜視図である。
【図６】キー側の筐体を示す正面図である。
【図７】図６のＶＩＩ−ＶＩＩ方向の断面図である。
【図８】図７のＶＩＩＩの部分を拡大して示す断面図である。
【図９】ヒンジキャップを示す斜視図である。
【図１０】図９のＸの部分を拡大して示す斜視図である。
【図１１】ヒンジキャップを示す正面図である。
【図１２】図１１のＸＩＩ−ＸＩＩ方向の側面図である。
【図１３】図１１のＸＩＩＩ−ＸＩＩＩ方向の平面図である。
【図１４】図１３のＸＩＶ−ＸＩＶ方向の概略図である。
【図１５】ガイド部にストラップ紐を引っ掛けた状態を示す概略図である。
【図１６】ヒンジキャップとヒンジを示す概略図である。
【図１７】キー側の筐体にヒンジキャップを取り付けた状態でガイド部にストラップ紐を引っ掛けた状態を示す概略図である。
【図１８】ガイド部によりストラップ紐を案内した状態を示す概略図である。
【図１９】キー側の筐体にヒンジキャップを取り付けた状態であって下端の脱落防止用突起とストッパ部を示す概略図である。
【図２０】キー側の筐体にヒンジキャップを取り付けた状態であって下端の脱落防止用突起とストッパ部を示す拡大概略図である。
【図２１】図２０のＸＸＩの部分を拡大して示す概略図である。
【図２２】キー側の筐体にヒンジキャップを取り付けた状態であってヒンジキャップを回転させた状態を示す概略図である。
【図２３】ストラップ紐を取り付けた状態でキー側の筐体と表示側の筐体を開いた状態の一部を示す正面図である。
【図２４】ストラップ紐を取り付けた状態でキー側の筐体と表示側の筐体を開いた状態の一部を示す斜視図である。
【図２５】ストラップ紐を取り付けた状態でキー側の筐体と表示側の筐体を閉じた状態の一部を示す斜視図である。
【符号の説明】
【００３０】
１    筐体
４    ヒンジユニット
５    ヒンジキャップ
６    ヒンジ収納部
１１    開口
１２    開口
２１    ガイド部
Ｓ    ストラップ紐
【図１】
2005347884.tif 000003
【図２】
2005347884.tif 000004
【図３】
2005347884.tif 000005
【図４】
2005347884.tif 000006
【図５】
2005347884.tif 000007
【図６】
2005347884.tif 000008
【図７】
2005347884.tif 000009
【図８】
2005347884.tif 000010
【図９】
2005347884.tif 000011
【図１０】
2005347884.tif 000012
【図１１】
2005347884.tif 000013
【図１２】
2005347884.tif 000014
【図１３】
2005347884.tif 000015
【図１４】
2005347884.tif 000016
【図１５】
2005347884.tif 000017
【図１６】
2005347884.tif 000018
【図１７】
2005347884.tif 000019
【図１８】
2005347884.tif 000020
【図１９】
2005347884.tif 000021
【図２０】
2005347884.tif 000022
【図２１】
2005347884.tif 000023
【図２２】
2005347884.tif 000024
【図２３】
2005347884.tif 000025
【図２４】
2005347884.tif 000026
【図２５】
2005347884.tif 000027